(57)【要約】【課題】  重量が均等な物品の計数を正確に把握できる計数装置を提供する。【解決手段】収納容器６は、それぞれに当該収納物品の単位重量及び収納物品を特定する情報を記憶すると供に外部に設置された、アンテナ装置３からの指示に基づいて、記憶内容を送信及び、内容を更新できる非接触ＩＣタグ７を備えている。計数装置は、収納容器に備えられた非接触ＩＣタグ７に対して、電磁波を送受信するアンテナ装置３と、収納容器内容物の重量を正確に測定する重量計測手段１１と、非接触ＩＣタグ７から受信した電磁波から単位重量及び収納物品を特定する情報に基づいて、収納物品の単位重量及び収納容器重量を記憶する記憶手段１２。重量計測手段１１の計測結果と単位重量及び収納容器重量を演算処理する演算手段１３。当該、演算手段１３の演算結果を表示する表示部４及び収納容器に備えられた非接触ＩＣタグ７の記憶内容を更新できるデータ更新手段１５を有する。【選択図】図１
2005345455.tif 000002
【特許請求の範囲】
【請求項１】
重量が均等な物品の計数を正確に把握できる計数装置において収納容器に設けられた記憶内容を更新可能な非接触ＩＣタグに問いかけ、該非接触ＩＣタグが応答する電磁波を送受信するアンテナ装置と、収納容器内容物の重量を正確に測定する重量計測手段と、非接触ＩＣタグから受信した電磁波から単位重量及び収納容器重量を記憶する記憶手段。計側手段の計測結果と単位重量及び収納容器重量を演算処理する演算手段。演算手段の演算結果を表示する表示部及び非接触ＩＣタグの記憶内容を更新できるデータ更新手段を有する計数装置。
【発明の詳細な説明】
【技術分野】
【０００１】重量が均等な物品の計数を正確に把握できる計数装置に関する。
【背景技術】
【０００２】
【特許文献】    特許公開２００３−２５４８１７
【特許文献】    特許公開２０００−２７６５６９
【発明の開示】
【発明が解決しようとする課題】
【０００３】従来、サンプルとして例えば５個、２０個、５０個、１００個を秤に載せて重量を計測し、得られた重量を前記サンプル数で割った値を単位重量として記憶し、追加した部品の全重量を前記、単位重量で割り算して、計数する計数装置が存在する。【０００４】また、予め計測した単重をキーボードで入力し、その単重を基準として秤上の部品全体の重量を単重で割り算したデータを用いた計数装置が存在する。【０００５】ところが、上記した従来の計数装置によれば、前者は毎回、サンプル数を正確に数えて秤に載置する労力と、ミスを無くす為に多大な労力を要している。【０００６】後者にあっても、リスト表などから所定の単位重量を検索して、正確かつ迅速に入力することも精神的、肉体的に重労働である。
【課題を解決するための手段】
【０００７】そこで、本願発明は、収納容器のそれぞれに当該収納容器の重量や収納物品の単位重量及び収納物品を特定する情報を記憶すると供に外部に設置された、アンテナ装置からの指示に基づいて、記憶内容を送信及び、内容を更新できる非接触ＩＣタグを備えている【０００８】計数装置は、収納容器に備えられた非接触ＩＣタグに対して、電磁波を送受信するアンテナ装置と、収納容器内容物の重量を正確に測定する重量計測手段と、非接触ＩＣタグから受信した電磁波から単位重量及び収納物品を特定する情報に基づいて、収納物品の単位重量及び収納容器重量を記憶する記憶手段。【０００９】重量計測手段の計測結果と単位重量及び収納容器重量を演算処理する演算手段。【００１０】当該、演算手段１３の演算結果を表示する表示部４及び収納容器に備えられた非接触ＩＣタグ７の記憶内容を更新できるデータ更新手段１５を有する。
【発明の効果】
【００１１】作業者が部品を収納した収納容器を計数装置に載置するだけで、計数装置に備えたアンテナ装置からの電磁波信号の指示によって、非接触ＩＣタグからの物品を特定する情報を基に、部品や貨幣の数量が瞬時に表示できるので、計数作業や貨幣集計作業がミスなく、簡易に実施できるため、正確な在庫数及び取り出し数が把握でき、収納容器を棚に戻すだけで、現品票へ記載することもできるなどの効果を有する。
【実施例】
【００１２】以下、図面にもとづいて本発明の実施の形態を詳述する。
図１は、本発明に係る一実施例を表す斜視図であり、図２は、同回路構成図を示している。１は、計数装置本体で上部に上皿２を有すると供に、上皿下部にはロードセルなどによって構成された重量計測手段１１を備えている。【００１３】３は、電磁波を送受信するアンテナ装置で計数装置本体１の指示に基づいて、収納容器６に具備された非接触ＩＣタグ７と交信が可能なように構成されている。【００１４】非接触ＩＣタグ７は、コイル状のアンテナとチップ状のＩＣから構成され、コイル状のアンテナはアンテナ装置３からの電磁波によって、内部のＩＣに電力を供給すると供に、計数装置本体１からの指示によって、内部に蓄積した収納物品を特定する情報を送受信が可能となっている。【００１５】８は、収納容器６に収納された部品を示し、４は、収納物品を特定する情報及び演算手段１３の演算結果並びに必要数等を表示する表示部。５は、作業者が計数装置本体１に指示を入力するキーボードである。【００１６】１２は、アンテナ装置３を介して入手した収納物品を特定する情報を一時的に記憶する記憶手段である。【００１７】１３は、重量計測手段１１の計測結果（総重量）と、記憶手段１２に記憶された部品８固有の単位重量及び、それを収納する収納容器６の自重（風袋重量）を基に、計測結果から風袋重量を引いて正味重量を算出した後、正味重量を単位重量で割り算すれば正確な個数が計数できる。【００１８】１５は、収納容器に備えられた非接触ＩＣタグ７の記憶内容を更新できるデータ更新手段で、例えばデータ更新のタイミングを重量計測手段１１の荷重が０となった時点をもって実行すれば、収納容器６を上皿２から降ろしたことにより、自動的に非接触ＩＣタグ７の内容できる。同様に、荷重が０を越えた時点で、非接触ＩＣタグ７の情報を計数装置本体１に取り込むように設定すれば、作業者の労力が軽減できる。【００１９】以上の様な構成であるから、作業者が収納容器６を棚などから取り出して、計数装置本体１の上皿２に載せると、重量計測手段１１によって計測された総重量から非接触ＩＣタグ７から入手した風袋重量を引いて正味重量を算出した後、正味重量を非接触ＩＣタグ７入手した単位重量で割り算すれば正確な個数が計数され、表示部４に表示される。【００２０】作業者は、帳票類或いはコンピュータディスプレーから指示される必要数に従い、部品などをピックアップし、収納容器６を棚等に返却すれば、自動的に計数装置本体１が必要数を引いた在庫数を収納要器６の非接触ＩＣタグ７に書き込むので、従来、収納容器６に貼付されていた現品票への記載を必要としない。
尚、作業者の名札等に作業者認識用書き換え不可型の非接触ＩＣタグを埋め込んでおけば、作業者の特定も容易に記録できる。当然、作業日時の記録も計数装置本体１に内蔵した時計により記録できる構成とすればよい。【００２１】更に、上記計数装置本体１で処理した情報を、有線又は無線によるローカルエリアネットワーク（ＬＡＮ）を構築すれば、在庫管理コンピュータと連結し、在庫数、在庫金額、発注タイミング等を瞬時に的確に把握することも可能である。【００２２】図３は、比較的大型の垂直方向回転棚式収納庫に本発明を実施した実施例を示す斜視図である。１は、計数装置本体で、３は、アンテナ装置、６は、収納容器である。２０は、垂直方向回転棚式収納庫であり、内部に多数の収納容器６を配置した棚が、電動装置により上下自在に移動できる形式の物で、従来より多用されている物と同等である。【００２３】この垂直方向回転棚式収納庫２０は計数装置本体１を備え、図示しない在庫管理コンピュータから、所定の製品を製作するに必要とする各部品情報を表示部４に表示するように構成されている。【００２４】同時に、在庫管理コンピュータからの指示で回転棚を上下動させて、所望の部品が入った収納容器６を取り出し位置停止させると供に、ランプにより収納容器６の位置を表示するよう構成する。【００２５】作業者は、ランプにより指示された収納容器６を取り出し、計数装置本体１に載せれば、計数装置本体１の機能により、指示通りに収納容器６が取り出されなかった場合はエラーメッセージを音声やブザー等で報知する機能を有する。【００２６】正しい収納容器６で有れば、必要数が表示されると同時に、実際の取り出し数も表示する。この表示に従って払い出しトレーなどに指示数に合致するまで部品を出し入れすれば良く、必要数と合致した時点や、必要数と合致していないにも関わらず、収納容器６を計数装置本体１から降ろした場合は、音声や音声やブザー等で報知する機能を有すれば作業ミスが皆無となる。【００２７】部品補充の際も、同様に部品が正確かどうかを部品の単位重量を基にチェックする機能を持たせれば、ミスが皆無となる。【００２８】更に、部品メーカで出荷の段階で、品名、品番、規格等の物品を特定する情報に、単位重量を書き込んだ、書き換え不可型の非接触ＩＣタグに記憶して、流通させれば良く、計数装置本体１にその読み取り機能を具備できる。【００２９】他方、前記払い出しトレーにも書き換え可能な非接触ＩＣタグ７を埋め込んで置いて、物品を特定する情報の他、数量払い出し工程名等を記録すれば、台車単位での物品の数量チェックが可能な他、自動運搬車に行き先の指示も可能となる。【００３０】図４、図５は、本発明を貨幣集計装置に実施した、実施例を示す斜視図である。。
図４は、小売店舗等で多用されている現金決済用のキャッシュレジスターを表す。３０は、キャッシュレジスター本体で、３１は、引き出し型のドロアで、内部に貨幣収納箱３２を多数収納すると供に、引き出し型のドロアから外部に取り出しが可能な構造である。【００３１】図５は、前記キャッシュレジスター用の貨幣収納箱を示す斜視図
３２は、貨幣収納箱で、引き出し型のドロアから外部に取り出した状態を示す。図に於いて、貨幣収納箱３２は、４個個別に分離が可能であるが、運搬の便宜を計るため連結が可能な構成か、他の大型トレーで移動できるよう構成すれば良い。【００３２】３３は、書き換え不可型の非接触ＩＣタグで、貨幣収納箱３２に埋め込まれている。書き換え不可型の非接触ＩＣタグには、貨幣の金額や貨幣の単位重量及び貨幣収納箱３２の自重を記録しておく。【００３３】このような構成で、計数装置本体１の上皿２に貨幣収納箱３２を載置すれば、書き換え不可型の非接触ＩＣタグ３３の情報を読み取り、総重量から貨幣収納箱３２の自重を引いて（風袋引き）した後、貨幣１個の重量で割れば、貨幣の計数が完了し、貨幣の金額をかけ算すれば、総額が表示できる。【００３４】貨幣については、硬貨、紙幣供に実施可能であることは言うまでもなく、従来の一枚ずつ分離して、光学的に読みとる紙幣計数装置や、硬貨計数装置に比べ格段の簡易化と、スピードアップ及び硬貨と紙幣の兼用が可能で、価格も安価となるばかりか、商品の在庫管理用の計数装置とも兼用できる構成も可能である。【００３５】尚、計数実施後、貨幣収納箱３２のレイアウト順が異ならないように、ドロアとの合致ピンを配して、一定の貨幣収納箱３２のレイアウト順でなければ、ドロアにセットできない構成にすることや、金額が目視できるように、貨幣収納箱３２の見やすい位置に刻印することも肝要である。【００３６】更に、前記、貨幣集計装置には、総金額を集計する場合には、総計意志をキーボードから入力すれば、総額を集計できる構成する事が可能となる。【００３７】ミスを排除する機能として、同一キャッシュレジスター内の貨幣収納箱３２には、キャッシュレジスターの連番を記憶することも、言うまでもない。【００３８】釣り銭の準備にあっても、貨幣収納箱３２の非接触ＩＣタグ３３に予め釣り銭の準備金額を記録することも可能で、その指示に従って、釣り銭の準備をすれば正確に容易く準備できる。
【産業上の利用可能性】
【００３９】製品製造産業にあっては、部品の発注業務から、在庫管理業務や製造工程に至までの部門で利用が可能である。【００４０】サービス産業にあっては、商品陳列棚の計数管理、在庫管理、キャッシュレジスターの貨幣集計作業、遊技場のゲーム機用コインやパチンコ玉の計数にも利用が可能である。
【図面の簡単な説明】
【図１】本発明に係る一実施例を表す斜視図
【図２】回路構成図
【図３】比較的大型の垂直方向回転棚式収納庫に本発明を実施した実施例を示す斜視図
【図４】貨幣集計装置に実施した、実施例を示す斜視図
【図５】キャッシュレジスター用の貨幣収納箱を示す斜視図
【符号の説明】
１．計数装置本体
３．アンテナ装置
６．収納容器
７．非接触ＩＣタグ
８．部品
３０．キャッシュレジスター本体
３２．貨幣収納箱
【図１】
2005345455.tif 000003
【図２】
2005345455.tif 000004
【図３】
2005345455.tif 000005
【図４】
2005345455.tif 000006
【図５】
2005345455.tif 000007